(57)【要約】【課題】液体調味料の漏洩を確実に防止する。【解決手段】液体調味料容器２は、筒状本体３とこの筒状本体３の上端開口４を閉塞する蓋５とを備えている。筒状本体３は、円板状に形成された底部６と、この底部６の一部から立ち上がる断面Ｄ字状に形成された側壁部７と、この側壁部７の上部に形成され、注ぎ口９を有する円筒状上部８とを備えている。注ぎ口９は、平板状側壁７Ａ側に、すなわち、半割円筒状側壁７Ｂの最大膨出部Ｍ１の反対方向に形成される。蓋５には、エアを内部に導入する吸気口１２が形成される。蓋５を円筒状上部８に取り付ける際には、マーク１２を目印に、吸気口１２を注ぎ口９と上下方向を合致させて取り付ける。容器２が転倒した際、内部の液体調味料は側壁部７の断面弧状の膨出部側に移動するので、容器２が回転しにくく、最大膨出部Ｍ１側が直ちに床面に接し、注ぎ口９と吸気口１２とが上方に向く。【選択図】図１
2006110170.tif 000002
【特許請求の範囲】
【請求項１】
液体調味料が入れられる有底筒状本体と、この有底筒状本体の上端開口を閉塞する蓋と、内部の液体調味料を流出させる注ぎ口と、エアを内部に導入する吸気口とを備えた液体調味料容器において、
有底筒状本体に、円板状に形成した底部と、この底部の一部から立上り断面Ｄ字状に形成された側壁部とを設け、注ぎ口を平板状側壁部側に設けるとともに、吸気口を蓋に形成し注ぎ口の上側に位置させるようにしたことを特徴とする液体調味料容器。
【請求項２】
側壁部の上部を円筒状に形成して注ぎ口を形成するとともに、蓋には、吸気口と容器内部を連通し吸気口から半割円筒状側壁部の最大膨出部側に向けて延びる吸気通路を設けたことを特徴とする請求項１に記載の液体調味料容器。
【請求項３】
吸気通路を最大膨出部側にゆくに従い徐々に下方に傾斜させたことを特徴とする請求項２に記載の液体調味料容器。
【請求項４】
注ぎ口と吸気口とを同時に塞いで虫の侵入を防ぐ防虫蓋を設けたことを特徴とする請求項１ないし３のうちいずれか１に記載の液体調味料容器。
【発明の詳細な説明】
【技術分野】
【０００１】
本発明は、液体調味料容器に関するものである。
【背景技術】
【０００２】
一般に、醤油注し等の液体調味料容器として、有底円筒状本体に蓋を被せ、内部の液体調味料を流出させる注ぎ口と、エアを内部に導入する吸気口とを備えたものが知られている。このような液体調味料容器は、転倒時、内部の液体調味料がこぼれてしまうため、従来から転倒した際、内部の液体調味料がこぼれにくいものが提案されている。例えば、円筒状本体の側壁内部に錘部を設けたものが知られている（特許文献１参照）。この特許文献１に記載のものは、円筒状側壁内部に上下にわたって錘部を埋設し、この錘部と周方向反対側の上方に液体調味料を流出させる注ぎ口と、エアを内部に導入する吸気口とを設けるようにしている。
【特許文献１】特開平１１−２１６０５６号公報（第３頁、図１）
【発明の開示】
【発明が解決しようとする課題】
【０００３】
しかしながら、上記従来の液体調味料容器では、転倒時、内部の液体調味料の量が少ないと起上り小法師のように錘部が下側で安定するものの、液体調味料の量が多いと、錘部が多量の液体調味料の重力に抗して液体調味料を引き起こしにくく錘部が下側に回り込みにくい。このため、多量の液体調味料を収容した状態で容器が転倒した場合、錘部が下側に回り込めず、床面に対し離れた位置で傾斜状態となり、注ぎ口や吸気口から内部の液体調味料がこぼれてしまう畏れがある。これを防ぐため錘部を重量化すると容器が重くなって使いくくなる。また、錘を容器に埋設すため重量が重くなりコストがかかるという問題がある。
【０００４】
本発明は、上記課題を解決するためになされたもので、簡素な構成でしかもたとえ内部に多量の液体調味料が収容されていても確実に漏洩を防止することができる液体調味料容器を提供することを目的とするものである。
【課題を解決するための手段】
【０００５】
本発明に係る液体調味料容器は、液体調味料が入れられる有底筒状本体と、この有底筒状本体の上端開口を閉塞する蓋と、内部の液体調味料を流出させる注ぎ口と、エアを内部に導入する吸気口とを備えた液体調味料容器において、有底筒状本体に、円板状に形成した底部と、この底部の一部から立上り断面Ｄ字状に形成された側壁部とを設け、注ぎ口を平板状側壁部側に設けるとともに、吸気口を蓋に形成し注ぎ口の上側に位置させるようにしたものである。
【０００６】
本発明に係る液体調味料容器では、液体調味料が入れられる有底筒状本体と、この有底筒状本体の上端開口を閉塞する蓋と、内部の液体調味料を流出させる注ぎ口と、エアを内部に導入する吸気口とを備えた液体調味料容器において、有底筒状本体に、円板状に形成した底部と、この底部の一部から立上り断面Ｄ字状に形成された側壁部とを設け、注ぎ口を平板状側壁部側に設けるとともに、吸気口を蓋に形成し注ぎ口の上側に位置させるようにしたことにより、容器が転倒した際、内部の液体調味料はバランスの差により直ちに側壁部の断面弧状の膨出部側、すなわち、半割円筒状側壁部側に移動するので、容器が回転しにくく、半割円筒状側壁部の最大膨出部側が速やかに床面に接し、平板状側壁部側に設けられた注ぎ口と吸気口とが上方に向く。転倒による液体調味料の揺れに応じて容器に揺れが生じても、液体調味料は半割円筒状の膨出部に溜まる状態となるので急速に安定し液の揺れが収まる。このため、転倒時、たとえ、容器に満杯あるいは満杯に近い量の液体調味料が収容されていても外部への漏れが抑えられる。また、底部を板状に形成しているので、容器が転倒しにくくテーブル上で安定させて使用することができる。
【０００７】
また、請求項２に係る液体調味料容器は、側壁部の上部を円筒状に形成して注ぎ口を形成するとともに、蓋には、吸気口と容器内部を連通し吸気口から半割円筒状側壁部の最大膨出部側に向けて延びる吸気通路を設けたものである。
【０００８】
請求項２に係る液体調味料容器では、側壁部の上部を円筒状に形成して注ぎ口を形成するとともに、蓋には、吸気口と容器内部を連通し吸気口から半割円筒状側壁部の最大膨出部側に向けて延びる吸気通路を設けたことにより、たとえ容器が転倒しても、注ぎ口と吸気口はＤ字状側壁部内の液体調味料の液面より常に高い位置となる。このため、液体調味料の外部への漏れが確実に防止される。
【０００９】
さらに、請求項３に係る液体調味料容器は、吸気通路を最大膨出部側にゆくに従い徐々に下方に傾斜させたものである。
【００１０】
請求項３に係る液体調味料容器では、吸気通路を最大膨出部側にゆくに従い徐々に下方に傾斜させたことにより、転倒時、容器内に満杯の液体調味料が収容されていても、通気通路が液体調味料により塞がれ易くなり、液漏れをより確実に防止できる。
【００１１】
請求項４に係る液体調味料容器は、注ぎ口と吸気口とを同時に塞いで虫の侵入を防ぐ防虫蓋を設けたものである。
【００１２】
請求項４に係る液体調味料容器では、注ぎ口と吸気口とを同時に塞いで虫の侵入を防ぐ防虫蓋を設けたことにより、注ぎ口や吸気口からの虫の侵入が防止される。
【発明の効果】
【００１３】
本発明に係る液体調味料容器は、液体調味料が入れられる有底筒状本体と、この有底筒状本体の上端開口を閉塞する蓋と、内部の液体調味料を流出させる注ぎ口と、エアを内部に導入する吸気口とを備えた液体調味料容器において、有底筒状本体に、円板状に形成した底部と、この底部の一部から立上り断面Ｄ字状に形成された側壁部とを設け、注ぎ口を平板状側壁部側に設けるとともに、吸気口を蓋に形成し注ぎ口の上側に位置させるようにしたので、容器が転倒しても、内部の液体調味料が外部に漏れるのを確実に防止することができる。
【発明を実施するための最良の形態】
【００１４】
転倒しても確実に漏れを防止する液体調味料容器を得るという目的を、有底筒状本体に、円板状に形成した底部と、この底部の一部から立上り断面Ｄ字状に形成された側壁部とを設け、注ぎ口を平板状側壁部側に設けるとともに、吸気口を蓋に形成し注ぎ口の上側に位置させるようにした構成とすることにより実現した。
【実施例１】
【００１５】
以下、図面に示す実施例により本発明を説明する。図１および図２はそれぞれ本発明の一実施例に係る液体調味料容器を示す縦断面図および全体斜視図である。本実施例に係る液体調味料容器２は、食用油、醤油、ソース等の液体調味料を収容する液体調味料容器で、図１に示すように、液体調味料が収容される有底筒状本体３と、この筒状本体３の上部に着脱自在に被せられる蓋５とを備えて構成される。筒状本体３は、透明な合成樹脂を型抜きして成形され、円板状に形成された底部６と、この底部６の一部から上方に立上る断面Ｄ字状に形成された側壁部７とを備えている。
【００１６】
側壁部７は、断面Ｄ字状の筒体、すなわち、図３に示すように、底部６から略垂直に立ち上がる平板状側壁７Ａと、この平板状側壁７Ａ左右両側に連続する半割円筒状側壁７Ｂとを有する筒体により構成される。平板状側壁７Ａは半割円筒状側壁７Ｂが延長してなす円の中心線Ｏ１よりずれた位置に設けられる。半割円筒状側壁７Ｂのうち平板状側壁７Ａの縦方向中心線Ｃ１（図２参照）に対し最も離れた部位Ｍ１が最大膨出部となっている。
【００１７】
筒状本体３には、側壁部７の上部に半割円筒状側壁７Ｂと平板状側壁７Ａとに連続し徐々に半割円筒状側壁７Ｂのなす円と合致する円筒上部８が形成される。円筒上部８には、平板状側壁７Ａ側に、すなわち、半割円筒状側壁７Ｂの最大膨出部Ｍ１と反対側（最大膨出部Ｍ１に対して周方向に１８０度離れた位置）に内部の液体調味料を流出させる注ぎ口９が形成される。
【００１８】
円筒上部８には、合成樹脂製の蓋５が被せられる。蓋５は、図１および図５に示すように、上側大径部と下側縮径部とを有する円筒部１０を備えている。円筒部１０の下側縮径部外周面に周方向溝が形成され、この溝にパッキンリング１１が装着されるようになっている。この円筒部１０の上側大径部上端には、エアを内部に導入する吸気口１２が形成される。この蓋５には、吸気口１２と筒状本体３内部とを連通する吸気通路１３が直線状に形成される。吸気通路１３は、吸気口１２から最大膨出部Ｍ１側に向かって延びており、しかも、最大膨出部Ｍ１側にゆくに従い徐々に下方に傾斜して形成される。蓋５には、吸気口１２の上側に「前」と表示されたマーク１４が付され、吸気口１２を注ぎ口９と上下方向に合致させるようになっている。
【００１９】
容器２は、図１および図６に示すように、虫の侵入を防ぐ合成樹脂製の防虫蓋１５を備えている。この防虫蓋１５は、注ぎ口９を塞ぐ凹部１６とこの凹部１６に連続し円筒部１０に合致して湾曲して形成された湾曲部１７とが形成されている。この防虫蓋１５は、湾曲部１７を上側にして凹部１６を注ぎ口９に嵌めると、湾曲部１７が吸気口１２をも同時に塞ぐようになっている。防虫蓋１５は、上端に紐１８が結び付けられ、この紐１８の他端には、合成樹脂製の取付部１９が設けられる。この取付部１９は、蓋５の頂部に形成された取付穴２０に取り外し自在に嵌め入れられるようになっている。容器２の高さはおよそ１２０mm、底部６および蓋５の直径はおよそ６９mm、注ぎ口９までの高さはおよそ１００mmである。
【００２０】
次に、上記実施例に係る液体調味料容器２の作用について説明する。上記実施例に係る調味料容器２は、筒状本体３の上端開口４から液体調味料をつぎ入れて、蓋５の「前」マーク１４を注ぎ口９の位置に合致させて、蓋５を円筒上部８に被せるようになっている。蓋５はパッキンリング１１により筒状本体３に確実に取り付けられる。容器２は上下端が円形に形成されているので、容器２が平坦な床面上を転倒した際、内部が空または内部に少量の液体調味料がある場合、最大膨出部Ｍ１側が重いので、回転するか回転を始めたとしても回転途中で最大膨出部Ｍ１側が床に接して注ぎ口９と吸気口１２とが上方に向く。このため、たとえ内部に少量の液体調味料があっても、内部の液が外部に流出することがない。容器２内部に満杯または満杯に近い液体調味料がある場合、容器２が平坦な床面上を転倒した際、最大膨出部Ｍ１側がたとえ上方に向いていても、内部の液体調味料は中心線Ｏ１を境にわずかな重量差により回転を始め、最大膨出部Ｍ１側が一方の側に傾く。すると、内部の液体調味料は一気に傾いた方向に流れ込み、筒状本体３の最大膨出部Ｍ１側は床に接して注ぎ口９と吸気口１２とが上方に向く。このとき、液体調味料は半割円筒状側壁７Ｂに移動し終わってしまっているので、たとえ、転倒による液体調味料の揺れに応じて容器２に揺れが生じても、液体調味料は下側に位置する半割円筒状側壁７Ｂに溜まった状態となり急速に液の挙動は安定し、液の揺れが収まる。このため、転倒時、たとえ、容器に満杯あるいは満杯に近い量の液体調味料が収容されていても外部への漏れが抑えられる。また、底部を板状に形成しているので、容器が転倒しにくくテーブル上で安定させて使用することができる。
【００２１】
容器２は、注ぎ口９を円筒上部８のうち最大膨出部Ｍ１と反対側に、すなわち、最大膨出部Ｍ１に対して周方向に１８０度離れた位置に形成し、しかも、吸気口１２を注ぎ口９と上下に合致させるようにしているので、たとえ容器２が転倒しても、注ぎ口９と吸気口１２は筒状本体３内部の液体調味料の液面より常に高い位置となる。このため、液体調味料の外部への漏れが確実に防止される。さらに、吸気通路１３は吸気口１２から最大膨出部Ｍ１側に向けて延びているので、転倒時、吸気通路１３は液により塞がれ易くなり、たとえ、容器２が揺れても、外部のエアが容器２の内部に導かれにくく注ぎ口９から液漏れしにくい。また、吸気通路１３は側壁部７の最大膨出部Ｍ１側にゆくに従い徐々に下方に傾斜させて設けられているので、転倒時、容器内に満杯の液体調味料が収容されていても、通気通路が液体調味料により塞がれ易くなり、液漏れをより確実に防止できる。
【００２２】
容器２は、防虫蓋１５を備えるようにしているので、長期間使用しない際に、防虫蓋１５を装着すると、注ぎ口９と吸気口１２との両方を同時に塞ぐので虫の侵入を防ぐことができる。
【００２３】
なお、上記実施例では、筒状本体３の円筒上部８にパッキンリング１１を備えた蓋５を取り付けるようにしているがこれに限られるものではなく、円筒上部に雄ねじ部を、蓋の内周面に雌ねじ部を形成して蓋を取り付けるようにしてもよい。また、上記実施例では、注ぎ口９を円筒上部８に、吸気口１２を蓋５に設けているがこれに限られるものではなく、両者を蓋に設けてもよいし、筒状本体に設けてもよい。
【図面の簡単な説明】
【００２４】
【図１】本発明の一実施例に係る液体調味料容器を示す縦断面図である。（実施例１）
【図２】図１の液体調味料容器の全体斜視図である。
【図３】図１の液体調味料容器のIII-III線断面図である。
【図４】図１の液体調味料容器のIV-IV線断面図である。
【図５】蓋の断面図である。
【図６】（Ａ）、（Ｂ）はそれぞれ防虫蓋を外した状態と防虫蓋を取り付けた状態とをそれぞれ示す説明図である。
【符号の説明】
【００２５】
２  液体調味料容器
３  筒状本体
４  上端開口部
５  蓋
６  底部
７  側壁部
９  注ぎ口
１２  吸気口
Ｍ１  最大膨出部
【図１】
2006110170.tif 000003
【図２】
2006110170.tif 000004
【図３】
2006110170.tif 000005
【図４】
2006110170.tif 000006
【図５】
2006110170.tif 000007
【図６】
2006110170.tif 000008
【手続補正書】
【提出日】平成16年10月22日(2004.10.22)
【手続補正１】
【補正対象書類名】図面
【補正対象項目名】全図
【補正方法】変更
【補正の内容】
【図１】
2006110170.tif 000009
【図２】
2006110170.tif 000010
【図３】
2006110170.tif 000011
【図４】
2006110170.tif 000012
【図５】
2006110170.tif 000013
【図６】
2006110170.tif 000014